(57)【要約】【課題】後席用ディスプレイの大型化を図りつつ、運転者による車両の後方視界を確保することのできる車両の後席用ディスプレイ装置を提供する。【解決手段】マジックミラー、後方視界用ディスプレイ、及びマジックミラーの反射像により後方視認を行う第１使用状態と後方視界用ディスプレイの画像により後方視認を行う第２使用状態とのいずれかに切り替え可能とされるインサイドミラー２０を備える車両に適用され、１列目シート１１と２列目シート１２との間に設けられ、２列目シート１２側に向けて情報を表示する後席用ディスプレイ４２と、後席用ディスプレイ４２を変位させる変位機構と、変位機構の駆動を制御する制御装置とを備える車両の後席用ディスプレイ装置である。制御装置は、変位機構の駆動の制御を通じてインサイドミラー２０が第２使用状態から第１使用状態に切り替えられたときに、視界確保領域の外に後席用ディスプレイ４２を変位させる。【選択図】図１
2019098841.tif 000002
【特許請求の範囲】
【請求項１】
車室内に設けられ、正面側からの入射光を反射するとともに背面側からの入射光を透過する光学部材、前記光学部材の背面側に配置され、車両の後方視界の画像を表示する後方視界用ディスプレイ、及び前記光学部材の鏡面に映る反射像により後方視認を行う第１使用状態と前記後方視界用ディスプレイに前記画像を表示することにより後方視認を行う第２使用状態とのいずれかに使用状態を切り替え可能な切替機構を備えるインサイドミラーを備える車両に適用され、
車室内の前席と後席との間に設けられ、前記後席側に向けて情報を表示する後席用ディスプレイと、前記後席用ディスプレイを変位させる変位機構と、前記変位機構の駆動を制御する制御装置とを備える車両の後席用ディスプレイ装置であって、
前記制御装置は、前記第２使用状態から前記第１使用状態に切り替えられたときに、前記第１使用状態での運転者による車両の後方視界が確保される視界確保領域の外に前記後席用ディスプレイが変位するように前記変位機構の駆動を制御する、
車両の後席用ディスプレイ装置。
【請求項２】
車室内に設けられ、正面側からの入射光を反射するとともに背面側からの入射光を透過する光学部材、前記光学部材の背面側に配置され、車両の後方視界の画像を表示する後方視界用ディスプレイ、及び前記光学部材の鏡面に映る反射像により後方視認を行う第１使用状態と前記後方視界用ディスプレイに前記画像を表示することにより後方視認を行う第２使用状態とのいずれかに使用状態を切り替え可能な切替機構を備えるインサイドミラーを備える車両に適用され、
車室内の前席と後席との間に設けられ、前記後席側に向けて情報を表示するとともに当該情報を表示しない部分が透明となる後席用ディスプレイと、前記後席用ディスプレイの表示態様を制御する制御装置とを備える車両の後席用ディスプレイ装置であって、
前記制御装置は、前記第２使用状態から前記第１使用状態に切り替えられたときに、前記後席用ディスプレイのうち前記第１使用状態での運転者による車両の後方視界が確保される視界確保領域内の部分が透明となるように前記後席用ディスプレイの表示態様を制御する、
車両の後席用ディスプレイ装置。
【請求項３】
前記第１使用状態のときの前記インサイドミラーの姿勢を検出する姿勢検出部と、
運転者の目の位置を検出する位置検出部とを備え、
前記制御装置は、前記姿勢検出部の検出結果及び前記位置検出部の検出結果に基づいて前記視界確保領域を導出する、
請求項１または請求項２に記載の車両の後席用ディスプレイ装置。
【請求項４】
車室内の前席と後席との間に設けられ、前記後席側に向けて情報を表示するとともに当該情報を表示しない部分が透明となる後席用ディスプレイと、前記後席用ディスプレイの表示態様を制御する制御装置とを備える車両の後席用ディスプレイ装置であって、
運転者の目の位置を検出する位置検出部とを備え、
前記制御装置は、前記位置検出部の検出結果に基づいて運転者による車両の後方視界が確保される視界確保領域を導出し、前記後席用ディスプレイのうち前記視界確保領域内の部分が透明となるように前記後席用ディスプレイの表示態様を制御する、
車両の後席用ディスプレイ装置。
【発明の詳細な説明】
【技術分野】
【０００１】
本発明は、車両の後席用ディスプレイ装置に関する。
【背景技術】
【０００２】
従来、所謂ミニバンなどの車両においては、１列目シートと２列目シートとの間の天井から吊り下げられ、２列目シートや３列目シートの乗員向けに映像などの情報を表示する後席用ディスプレイ装置が設けられたものがある（例えば特許文献１参照）。このような後席用ディスプレイ装置には、天井に沿って格納される格納位置と、天井から吊り下げられる展開位置との間でディスプレイを変位させる変位機構が設けられている。
【０００３】
特許文献１の後席用ディスプレイ装置では、車両の変速レバーが後退位置に操作されたときにモータの駆動を制御することで、後席用ディスプレイが展開位置から格納位置へと変位される。
【０００４】
一方、車室内には、車両の後方視認性を確保するためのインサイドミラーが設けられている。特許文献２には、こうしたインサイドミラーの一形態としての電子ミラー装置が開示されている。この電子ミラー装置は、入射光の一部を反射し、一部を透過させるマジックミラー（ｏｎｅ−ｗａｙ  ｍｉｒｒｏｒ）と、マジックミラーの背面側に配置される液晶ディスプレイとを備える。マジックミラーは、正面側（運転者に露呈されている側）からの入射光を反射させるとともに背面側（液晶ディスプレイ側）からの入射光を透過させる。この電子ミラー装置では、マジックミラー及び液晶ディスプレイを傾動させ、マジックミラーの鏡面に映る反射像により後方視認を行う第１の使用状態と、マジックミラーの鏡面が第１の使用状態よりも上向きに傾斜し液晶ディスプレイの表示画像によって後方視認を行う第２の使用状態とのいずれかに使用状態を切り替える切替機構が設けられている。
【先行技術文献】
【特許文献】
【０００５】
【特許文献１】特開２００２−２３４３９０号公報
【特許文献２】特開２０１７−３０４２５号公報
【発明の概要】
【発明が解決しようとする課題】
【０００６】
ところで、特許文献２に記載の電子ミラー装置を備えた車両においては、電子ミラー装置の液晶ディスプレイの表示画像によって後方視認を行うことができることから、運転者による車両の後方視界を確保しつつ、後席用ディスプレイの大型化を図ることができる。
【０００７】
しかしながら、悪天候のときや、車両の後方視界の画像を撮影するカメラのレンズに汚れが付着しているときには、液晶ディスプレイの表示画像によって後方視認を行うことが困難となる。この場合、電子ミラー装置を第１の使用状態に切り替えても、後席用ディスプレイが邪魔になって運転者が後方視認を行うことが難しくなるおそれがある。またこうした問題は、後席用ディスプレイを大型化するほど顕著なものとなる。
【０００８】
本発明の目的は、後席用ディスプレイの大型化を図りつつ、運転者による車両の後方視界を確保することのできる車両の後席用ディスプレイ装置を提供することにある。
【課題を解決するための手段】
【０００９】
上記課題を解決するために、車室内に設けられ、正面側からの入射光を反射するとともに背面側からの入射光を透過する光学部材、前記光学部材の背面側に配置され、車両の後方視界の画像を表示する後方視界用ディスプレイ、及び前記光学部材の鏡面に映る反射像により後方視認を行う第１使用状態と前記後方視界用ディスプレイに前記画像を表示することにより後方視認を行う第２使用状態とのいずれかに使用状態を切り替え可能な切替機構を備えるインサイドミラーを備える車両に適用される車両の後席用ディスプレイ装置は、車室内の前席と後席との間に設けられ、前記後席側に向けて情報を表示する後席用ディスプレイと、前記後席用ディスプレイを変位させる変位機構と、前記変位機構の駆動を制御する制御装置とを備え、前記制御装置は、前記第２使用状態から前記第１使用状態に切り替えられたときに、前記第１使用状態での運転者による車両の後方視界が確保される視界確保領域の外に前記後席用ディスプレイが変位するように前記変位機構の駆動を制御する、ことを要旨とする。
【００１０】
同構成によれば、第２使用状態から第１使用状態に切り替えられたときには、第１使用状態での視界確保領域の外まで後席用ディスプレイが変位される。このため、第１使用状態に切り替えられた場合であっても、運転者が車両の後方視界を確保することができる。したがって、後席用ディスプレイの大型化を図りつつ、運転者による車両の後方視界を確保することができる。
【００１１】
上記課題を解決するために、車室内に設けられ、正面側からの入射光を反射するとともに背面側からの入射光を透過する光学部材、前記光学部材の背面側に配置され、車両の後方視界の画像を表示する後方視界用ディスプレイ、及び前記光学部材の鏡面に映る反射像により後方視認を行う第１使用状態と前記後方視界用ディスプレイに前記画像を表示することにより後方視認を行う第２使用状態とのいずれかに使用状態を切り替え可能な切替機構を備えるインサイドミラーを備える車両に適用される車両の後席用ディスプレイ装置は、車室内の前席と後席との間に設けられ、前記後席側に向けて情報を表示するとともに当該情報を表示しない部分が透明となる後席用ディスプレイと、前記後席用ディスプレイの表示態様を制御する制御装置とを備え、前記制御装置は、前記第２使用状態から前記第１使用状態に切り替えられたときに、前記後席用ディスプレイのうち前記第１使用状態での運転者による車両の後方視界が確保される視界確保領域内の部分が透明となるように前記後席用ディスプレイの表示態様を制御する、ことを要旨とする。
【００１２】
同構成によれば、第２使用状態から第１使用状態に切り替えられたときには、後席用ディスプレイのうち第１使用状態での視界確保領域内の部分が透明となる。このため、第１使用状態に切り替えられた場合であっても、運転者が車両の後方視界を確保することができる。したがって、後席用ディスプレイの大型化を図りつつ、運転者による車両の後方視界を確保することができる。
【００１３】
上記構成において、前記第１使用状態のときの前記インサイドミラーの姿勢を検出する姿勢検出部と、運転者の目の位置を検出する位置検出部とを備え、前記制御装置は、前記姿勢検出部の検出結果及び前記位置検出部の検出結果に基づいて前記視界確保領域を導出する、ことが好ましい。
【００１４】
同構成によれば、運転者の体格に合わせた視界確保領域が導出されるので、運転者が交代しても、その運転者に応じた適切な車両の後方視界が確保される。
上記課題を解決するために、車室内の前席と後席との間に設けられ、前記後席側に向けて情報を表示するとともに当該情報を表示しない部分が透明となる後席用ディスプレイと、前記後席用ディスプレイの表示態様を制御する制御装置とを備える車両の後席用ディスプレイ装置は、運転者の目の位置を検出する位置検出部とを備え、前記制御装置は、前記位置検出部の検出結果に基づいて運転者による車両の後方視界が確保される視界確保領域を導出し、前記後席用ディスプレイのうち前記視界確保領域内の部分が透明となるように前記後席用ディスプレイの表示態様を制御する、ことを要旨とする。
【００１５】
同構成によれば、例えば運転者が後方を振り返ったときには、制御装置を通じて、運転者の目の位置に基づいて運転者による車両の後方視界が確保される視界確保領域が導出される。そして、後席用ディスプレイのうち視界確保領域内の部分が透明となる。このため、運転者が後方を振り返った場合であっても、運転者が車両の後方視界を確保することができる。したがって、後席用ディスプレイの大型化を図りつつ、運転者による車両の後方視界を確保することができる。
【発明の効果】
【００１６】
本発明の車両の後席用ディスプレイ装置は、後席用ディスプレイの大型化を図りつつ、運転者による車両の後方視界を確保することのできるという効果を有する。
【図面の簡単な説明】
【００１７】
【図１】第１及び第２実施形態における、車両の後席用ディスプレイ装置が設けられる車両を側方から見た模式的な図であって、インサイドミラーが第２使用状態とされるときの図。
【図２】第１、第２、及び第３実施形態における、インサイドミラーの側面図。
【図３】第１、第２、及び第３実施形態における、インサイドミラーの正面図。
【図４】第１、第２、及び第３実施形態における、後席用ディスプレイ装置の概略構成を示すブロック図。
【図５】第１及び第２実施形態における、車両の後席用ディスプレイ装置が設けられる車両を側方から見た模式的な図であって、インサイドミラーが第１使用状態とされるときの図。
【図６】第２実施形態における、車両の後席用ディスプレイ装置が設けられる車両を側方から見た模式的な図であって、運転者が後方を振り返ったときの図。
【図７】第３実施形態における、（ａ）は後席用透明ディスプレイの表示可能領域の全域を使用して画像を表示する際の後席用透明ディスプレイの正面図、（ｂ）は表示可能領域の一部（上半分）を使用して画像を表示する際の後席用透明ディスプレイの正面図。
【発明を実施するための形態】
【００１８】
＜第１実施形態＞
以下、反射像による後方視認が行われる状態と撮影用画像による後方視認が行われる状態とが切り替えられるインサイドミラーを備える車両に適用される車両の後席用ディスプレイ装置を具体化した第１実施形態を図１〜５にしたがって説明する。
【００１９】
図１に示すように、車両１０の車室内には、前から後にかけて順に１列目シート１１、２列目シート１２、及び３列目シート１３が備えられている。１列目シート１１は、運転席及び助手席の総称であるとともに前席に相当し、２列目シート１２及び３列目シート１３は、それぞれ後席に相当する。
【００２０】
車両１０の後部には、車両後方を撮影する後方カメラ１４が設けられている。本実施形態における後方カメラ１４は、車室内に設けられているが、車室外に設けられていてもよい。
【００２１】
また、車両１０の車室内には、フロントウインドウＦＷから支持部材１５を介して吊り下げ支持されるインサイドミラー２０が設けられている。
図２及び図３に示すように、インサイドミラー２０は、ケース２１、マジックミラー２２、後方視界用ディスプレイ２３、及び操作レバー２４を備えている。
【００２２】
ケース２１は、車両後方側に開口部２１ａを有し、マジックミラー２２の正面側を車室内に露出させた状態でマジックミラー２２を収容することともに、固定している。また、ケース２１は、マジックミラー２２の背面側（車両前方側）に後方視界用ディスプレイ２３を収容するとともに、固定している。ケース２１は、支持部材１５により所望の姿勢（角度）に保持されるとともに、保持される姿勢が変更可能とされている。
【００２３】
マジックミラー２２は、正面側（車両後方側）からの入射光（可視光線）を反射するとともに、背面側からの入射光を透過する性質を有するものである。マジックミラー２２は、運転者に対する姿勢に応じて、正面側（車両後方側）からの入射光（可視光線）を反射させて運転者に提供する状態と、背面側からの入射光を透過させて運転者に提供する状態とが切り替わるものとされている。なお、マジックミラー２２は、光学部材に相当する。
【００２４】
後方視界用ディスプレイ２３は、マジックミラー２２に向けて、後方カメラ１４により撮影された画像を表示するものである。後方視界用ディスプレイ２３により表示される画像（入射光）は、マジックミラー２２を透過する。
【００２５】
操作レバー２４は、ケース２１の下部に設けられ、回動操作させられることにより、支持部材１５に対してケース２１が支持される姿勢（角度）を所定の傾動角度で傾動させるために操作される部位であって、図示しない切替機構と機械的な接続関係にある。したがって、操作レバー２４が回動操作させられることに伴って切替機構が作動してケース２１の姿勢が変更されることにより、運転者に対するマジックミラー２２の姿勢も変更される。なお、操作レバー２４の回動操作に伴い傾動するケース２１の傾動角度は、運転者に対してマジックミラー２２が正面側からの入射光を反射させて提供する状態と、背面側からの入射光を透過させて提供する状態とが切り替わる角度に設定されている。ここで、本実施形態における操作レバー２４は、マジックミラー２２の姿勢をケース２１ごと可変させるものであるが、支持部材１５に対するケース２１の姿勢は変更されずにマジックミラー２２及び後方視界用ディスプレイ２３の姿勢のみが変更される構成であってもよい。
【００２６】
インサイドミラー２０は、操作レバー２４が回動操作されることにより、マジックミラー２２が正面側（車両後方側）からの入射光（可視光線）を反射させて運転者に提供する第１使用状態と、マジックミラー２２が後方視界用ディスプレイ２３に表示される画像を透過させて運転者に提供する第２使用状態とが切り替えられる。なお、第２使用状態では、マジックミラー２２の鏡面が第１使用状態よりも上向きとなる。これにより、インサイドミラー２０が第２使用状態とされるとき、運転者に提供される後方視界用ディスプレイ２３の画像に反射像が写り込むことが抑制される。
【００２７】
なお、操作レバー２４の回動位置により、後方視界用ディスプレイ２３のオンオフも切り替えられる。後方視界用ディスプレイ２３は、インサイドミラー２０が第２使用状態とされる回動位置に操作レバー２４が操作されると後方視界用ディスプレイ２３がオン（画像を表示する状態）となり、インサイドミラー２０が第１使用状態とされる回動位置に操作レバー２４が操作されると後方視界用ディスプレイ２３がオフ（画像を表示しない状態）となる。
【００２８】
したがって、運転者は、インサイドミラー２０が第１使用状態とされるとき、マジックミラー２２に映る反射像により後方視認を行い、インサイドミラー２０が第２使用状態とされるとき、マジックミラー２０越しに表示される後方視界用ディスプレイ２３の画像により後方視認を行う。
【００２９】
さらに、図１に示すように、車両１０の車室内には、１列目シート１１と２列目シート１２との間の天井１６に支持される車両の後席用ディスプレイ装置４０が設けられている。
【００３０】
図４に示すように、後席用ディスプレイ装置４０は、変位機構４１と、後席用ディスプレイ４２と、制御装置４３とを備える。
変位機構４１は、モータ４１ａの駆動により、後席用ディスプレイ４２を天井１６に沿って格納する格納位置Ｐ０と、天井１６から吊り下げられて２列目シート１２及び３列目シート１３から後席用ディスプレイ４２を視認することができる第１展開位置Ｐ１及び第２展開位置Ｐ２との間で後席用ディスプレイ４２を変位させる周知の機構である。
【００３１】
なお、図１に示すように、第２展開位置Ｐ２は、２列目シート１２及び３列目シート１３の乗員から視認しやすい位置である一方で、運転者のインサイドミラー２０の反射を利用した後方視界を遮る位置である。第２展開位置Ｐ２は、車両開発時におけるテストやシミュレーション等により、予め設定されている。第１展開位置Ｐ１は、第２展開位置Ｐ２から格納位置Ｐ０とは反対側へ回転させた位置であって、２列目シート１２及び３列目シート１３の乗員から視認が可能で、且つ、運転者のインサイドミラー２０の反射を利用した後方視界を遮らない位置である。第１展開位置Ｐ１は、インサイドミラー２０の姿勢や運転者の目の位置から導出される視界確保領域Ｓ１と重ならない位置に設定される。この視界確保領域Ｓ１は、運転者による車両の後方視界が確保される領域である。
【００３２】
後席用ディスプレイ４２は、第１展開位置Ｐ１及び第２展開位置Ｐ２にある状態で、車両後方側に向けて画像を表示するものである。本実施形態の後席用ディスプレイ４２には、２列目シート１２及び３列目シート１３の乗員が視認しやすいように大型化されたものが採用されている。
【００３３】
図４に示すように、制御装置４３は、レバー検出部４６、姿勢検出部４７、及び位置検出部４８の各部と電気的に接続されている。
レバー検出部４６は、例えばタクトスイッチ等により、インサイドミラー２０の操作レバー２４の操作位置を検出するものである。
【００３４】
姿勢検出部４７は、例えばインサイドミラー２０のケース２１内にマジックミラー２２及び後方視界用ディスプレイ２３とともに収容された状態で当該ケース２１に固定されて、重力方向の検出に基づきマジックミラー２２の姿勢（角度）を検出するものである。本実施形態の姿勢検出部４７は、操作レバー２４の操作位置に連動し、インサイドミラー２０が第１使用状態とされるときのマジックミラー２２の姿勢を検出する。
【００３５】
位置検出部４８は、例えばインストルメントパネルに固定される位置検出用カメラ４８ａ（図１参照）を通じて、撮影した画像情報に基づき、運転者の目の位置を検出するものである。
【００３６】
制御装置４３は、レバー検出部４６、姿勢検出部４７、及び位置検出部４８の各部からの情報に基づき、後席用ディスプレイ４２のオンオフの切り替え、及び変位機構４１のモータ４１ａの駆動の制御を通じて後席用ディスプレイ４２の位置を制御する。
【００３７】
詳述すると、制御装置４３は、図示しない車両１０のアクセサリースイッチＡＣＣがオフからオンに切り替えられたことをトリガにモータ４１ａの駆動の制御を通じて、後席用ディスプレイ４２を格納位置Ｐ０から第１展開位置Ｐ１又は第２展開位置Ｐ２へ変位させる。また、制御装置４３は、アクセサリースイッチＡＣＣがオンからオフに切り替えられたことをトリガにモータ４１ａの駆動の制御を通じて、後席用ディスプレイ４２を第１展開位置Ｐ１又は第２展開位置Ｐ２から格納位置Ｐ０へ変位させる。
【００３８】
さらに、制御装置４３は、アクセサリースイッチＡＣＣがオンとされる状態において、レバー検出部４６の検出結果からインサイドミラー２０が第１使用状態と判断されるとき、姿勢検出部４７及び位置検出部４８の検出結果から、マジックミラー２２に映る反射像により運転者が車両の後方視認を行えるように、車両の後方視界が確保される視界確保領域Ｓ１を導出する。そして、制御装置４３は、導出した視界確保領域Ｓ１と重ならない第１展開位置Ｐ１を導出し、当該第１展開位置Ｐ１に後席用ディスプレイ４２が位置するようにモータ４１ａの駆動を制御する。
【００３９】
また、制御装置４３は、アクセサリースイッチＡＣＣがオンとされる状態において、レバー検出部４６の検出結果からインサイドミラー２０が第２使用状態と判断されるとき、後席用ディスプレイ４２が第２展開位置Ｐ２に位置するようにモータ４１ａの駆動を制御する。
【００４０】
次に、後席用ディスプレイ装置４０の作用について説明する。
制御装置４３は、アクセサリースイッチＡＣＣがオンとされ、且つインサイドミラー２０が第２使用状態とされるとき、後席用ディスプレイ４２が第２展開位置Ｐ２に位置するようにモータ４１ａの駆動を制御する。これにより、図１に示すように、２列目シート１２及び３列目シート１３の乗員から、大型化された後席用ディスプレイ４２を視認しやすいので、これら後席の乗員は、快適な乗車環境のなかで移動することができる。
【００４１】
なお、第２使用状態におけるインサイドミラー２０は、後方カメラ１４に撮影された映像を後方視界用ディスプレイ２３に表示することにより、マジックミラー２２越しに運転者に車両の後方視界を提供する。これにより、運転者は、車両後方を確認できる状態が確保された状態で車両１０を運転することができる。
【００４２】
また、制御装置４３は、アクセサリースイッチＡＣＣがオンとされ、且つインサイドミラー２０が第１使用状態とされるとき、後席用ディスプレイ４２が第１展開位置Ｐ１に位置するようにモータ４１ａの駆動を制御する。これにより、図５に示すように、２列目シート１２及び３列目シート１３の乗員から、後席用ディスプレイ４２を視認することができる。
【００４３】
また、第１展開位置Ｐ１は、姿勢検出部４７により検出されるマジックミラー２２の姿勢及び位置検出部４８により検出される運転者の目の位置に基づき導出される視界確保領域Ｓ１と重ならない位置に設定されるものである。したがって、運転者がインサイドミラー２０（マジックミラー２２）を見たとき、当該インサイドミラー２０には後席用ディスプレイ４２が映らないので、運転者は、インサイドミラー２０に映る反射像により車両の後方視認を行うことができる。
【００４４】
次に、反射像による後方視認が行われる状態と撮影用画像による後方視認が行われる状態とが切り替えられるインサイドミラー２０を備える車両１０に適用される後席用ディスプレイ装置４０の作用効果について説明する。
【００４５】
（１）インサイドミラー２０が第２使用状態から第１使用状態に切り替えられたとき、後席用ディスプレイ４２は、視界確保領域Ｓ１の範囲内に位置する第２展開位置Ｐ２から視界確保領域Ｓ１の外である第１展開位置まで変位する。このため、第１使用状態に切り替えられた場合であっても、運転者が車両の後方視界を確保することができる。したがって、後席用ディスプレイ４２の大型化を図りつつ、運転者による車両の後方視界を確保することができる。
【００４６】
（２）第１使用状態とされるときのインサイドミラー２０（マジックミラー２２）の姿勢を検出する姿勢検出部４７及び運転者の目の位置を検出する位置検出部４８を備える車両１０に後席用ディスプレイ装置４０を設けた。これにより、後席用ディスプレイ装置４０の制御装置４３は、運転者がマジックミラー２２に映る反射像により後方確認する際に必要な視界確保領域Ｓ１を導出することができる。したがって、運転者が交代しても、その運転者の体格に応じた視界確保領域Ｓ１が導出され、その視界確保領域Ｓ１の範囲外まで後席用ディスプレイ４２が変位する。これにより、姿勢検出部４７及び位置検出部４８が設けられず、規定の視界確保領域に応じて視界確保領域が設定される場合と比較して、いずれの運転者においても後席用ディスプレイ４２に遮られることなくインサイドミラー２０に映る反射像により後方確認することができる。
【００４７】
＜第２実施形態＞
次に、後席用ディスプレイ装置の第２実施形態について説明する。第２実施形態と第１実施形態との主たる相違点は、インサイドミラー２０が第２使用状態とされる場合であっても、制御装置４３が後席用ディスプレイ４２を変位させるべくモータ４１ａの駆動を制御することである。このため、第２実施形態の各構成については、第１実施形態と同様であるため同様の符号を付すとともに、その説明を割愛する。
【００４８】
図４に示すように、制御装置４３は、位置検出部４８と電気的に接続されている。制御装置４３は、インサイドミラー２０が第１使用状態であるか第２使用状態であるかに関わらず、常時、位置検出部４８から運転者の目の位置を示す情報を得る構成とされている。したがって、図６に示すように、運転者が後方を振り返るなどして、位置検出部４８において、運転者の目の位置を検出できない場合、制御装置４３は、その旨示す情報を確認することができる。
【００４９】
制御装置４３の図示しないメモリには、車両開発時におけるテストやシミュレーション等により設定される規定の視界確保領域Ｓ２に重ならない後席用ディスプレイ４２の位置である第３展開位置Ｐ３が記憶されている。インサイドミラー２０が第２使用状態とされる状態で、位置検出部４８から運転者の目の位置が検出されない旨示す情報を確認したとき、制御装置４３は、第２展開位置Ｐ２から第３展開位置Ｐ３へ変位させるべくモータ４１ａの駆動を制御する。なお、本第２実施形態における第３展開位置Ｐ３は、第１実施形態における第１展開位置Ｐ１と同じ位置として図示しているが、これら２つの位置は異なる位置であってもよい。とくに第１展開位置Ｐ１は、運転者の体格に応じて変更されるものである。
【００５０】
次に、第１実施形態の作用効果に加えて後席用ディスプレイ装置４０によって得られる作用効果について説明する。
（３）インサイドミラー２０が第２使用状態であっても、運転者が後方を振り返れば、後席用ディスプレイ４２が第２展開位置Ｐ２から規定の視界確保領域Ｓ２に重ならない第３展開位置Ｐ３へ変位する。このため、運転者が車両の後方視界を確保することができる。したがって、後席用ディスプレイ４２の大型化を図りつつ、運転者による車両の後方視界を確保することができる。
【００５１】
＜第３実施形態＞
次に、後席用ディスプレイ装置の第３実施形態について説明する。第３実施形態と第１実施形態との主たる相違点は、後席用ディスプレイとして、画像を表示しない部分が透明なる、いわゆる透明ディスプレイを採用したことである。この透明ディスプレイは、天井１６に据え付けられるものとし、変位機構は省略されている。このため、第３実施形態において、第１実施形態と同様の構成については、同様の符号を付すとともに、その説明を割愛する。
【００５２】
図４に示すように、後席用ディスプレイ装置４０の後席用透明ディスプレイ５０は、画像を表示しない部分が透明となる透明ディスプレイである。制御装置４３は、後席用透明ディスプレイ５０に表示される画像の大きさや位置を適宜調整する。
【００５３】
詳述すると、図７（ａ）に示すように、制御装置４３は、インサイドミラー２０が第２使用状態とされるとき、後席用透明ディスプレイ５０の表示可能領域ＤＡいっぱいに画像を表示させる。すなわち、この場合、後席用透明ディスプレイ５０における画像表示領域ＶＡは、後席用透明ディスプレイ５０の表示可能領域ＤＡと等しい。
【００５４】
一方、図７（ｂ）に示すように、制御装置４３は、インサイドミラー２０が第１使用状態とされるとき、後席用透明ディスプレイ５０の表示可能領域ＤＡのうち、姿勢検出部４７及び位置検出部４８の検出結果より導出される視界確保領域Ｓ１と重ならない部分に画像を表示させる。ここでは、後席用透明ディスプレイ５０の表示可能領域ＤＡのうち下半分が視界確保領域Ｓ１と重なるものとする。この場合、制御装置４３は、後席用透明ディスプレイ５０の表示可能領域ＤＡのうち視界確保領域Ｓ１と重ならない上半分を画像表示領域ＶＡとして各種の情報を表示し、下半分を透明領域ＴＡとして情報を表示しない。このように、後席用透明ディスプレイ５０の画像を表示しない部分は透明（透明領域ＴＡ）となるので、１列目シート１１側からは当該透明領域ＴＡを介して後方の視認が可能となり、２列目シート１２及び３列目シート１３側からは当該透明領域ＴＡを介して前方の視認が可能となる。
【００５５】
次に、後席用透明ディスプレイ５０を採用した後席用ディスプレイ装置４０において得られる作用効果について説明する。
（４）インサイドミラー２０が第２使用状態から第１使用状態に切り替えられたとき、後席用ディスプレイ装置４０の制御装置４３は、後席用透明ディスプレイ５０の表示可能領域のうち視界確保領域Ｓ１と重なる部分を画像が表示されない状態、すなわち透明にする。このため、インサイドミラー２０が第１使用状態に切り替えられた場合であっても、運転者の車両の後方視界が確保される。したがって、後席用透明ディスプレイ５０の大型化を図りつつ、運転者による車両の後方視界を確保することができる。
【００５６】
（５）運転者が後方を振り返った場合でも、後席用透明ディスプレイ５０の表示可能領域ＤＡのうち上半分は画像表示領域ＶＡとして、引き続き画像を表示する。このため、２列目シート１２及び３列目シート１３の乗員は、後席用透明ディスプレイ５０から引き続き情報を得ることができる。
【００５７】
なお、上記各実施形態は、以下のように変更してもよい。
・上記第１実施形態において、姿勢検出部４７及び位置検出部４８を省略してもよい。この場合、第２実施形態のように、制御装置４３は、インサイドミラー２０が第１使用状態であるとき、後席用ディスプレイ４２が規定の視界確保領域Ｓ２に基づき設定される第３展開位置Ｐ３に位置するように、インサイドミラー２０が第２使用状態であるとき、後席用ディスプレイ４２が第２展開位置Ｐ２に位置するように、それぞれモータ４１ａの駆動を制御する。このように構成した場合でも、上記第１実施形態の効果（１）と同様の作用効果が得られる。
【００５８】
・上記第１実施形態及び第２実施形態において、第１展開位置Ｐ１を格納位置Ｐ０に変更してもよい。すなわち、インサイドミラー２０が第２使用状態から第１使用状態へ切り替えられたとき、制御装置４３は、後席用ディスプレイ４２を第２展開位置Ｐ２から格納位置Ｐ０へ変位するようにモータ４１ａの駆動を制御してもよい。このように構成した場合であっても、運転者が車両の後方視界を確保することができる。したがって、後席用ディスプレイ４２の大型化を図りつつ、運転者による車両の後方視界を確保することができる。
【００５９】
・上記第３実施形態を、上記第２実施形態に適用してもよい。この場合、制御装置４３は、運転者が後方を振り返った場合に、後席用透明ディスプレイ５０のうち規定の視界確保領域Ｓ２と重なる部位を透明領域ＴＡとする。このように構成した場合、後席用透明ディスプレイ５０を採用した場合であれ、後方を振り返った運転者の後方視界が確保される。
【００６０】
なお、このように、後方を振り返った運転者の後方視界が確保される構成であれば、レバー検出部４６を省略してもよい。
・上記第３実施形態において、インサイドミラー２０が第２使用状態から第１使用状態に切り替えられたとき、制御装置４３は、後席用透明ディスプレイ５０の表示可能領域ＤＡの全体を透明領域ＴＡとしてもよい。
【００６１】
・上記第３実施形態において、第１及び第２実施形態のように、後席用透明ディスプレイ５０は、格納位置と展開位置との間を変位する構成とされてもよい。
・上記第３実施形態において、後席用透明ディスプレイ５０は、天井１６に吊り下げ支持されるものに限らない。１列目シート１１、すなわち運転席の後部と助手席の後部との間に架設配置される構成であってもよいし、センターコンソールに支持される構成であってもよい。また、車室内の床面に支持される構成であってもよい。
【００６２】
・上記第３実施形態において、姿勢検出部４７を省略してもよい。この場合、制御装置４３は、位置検出部４８の検出結果に基づいて、運転者の目の位置（目の高さ）から運転者が後方を振り返ったときに、後方視界の確保に必要な視界確保領域Ｓ１を導出する。そして、制御装置４３は、位置検出部４８から、運転者の目の位置が検出できない旨示す検出結果を認識した場合、運転者が後方を振り返ったもの判断する。そして、後席用透明ディスプレイ５０の表示可能領域ＤＡのうち、導出した視界確保領域Ｓ１と重なる部分を透明領域ＴＡ、それ以外の部分を画像表示領域ＶＡとなるように、後席用透明ディスプレイ５０の表示を制御する。これにより、運転者が後方を振り返った場合であっても、運転者が車両の後方視界を確保することができる。したがって、後席用ディスプレイである後席用透明ディスプレイ５０の大型化を図りつつ、運転者による車両の後方視界を確保することができる。
【００６３】
・上記第１〜第３実施形態において、天井１６に後方を振り返った運転者の目の位置を検出する位置検出部を設け、その位置検出部から得られる情報に基づき後方を振り返った運転者の視界確保領域を算出してもよい。
【００６４】
・上記第１〜第３実施形態において、後方カメラ１４が設けられる位置は適宜変更可能である。
・上記第１〜第３実施形態において、後席用ディスプレイ４２及び後席用透明ディスプレイ５０は、１列目シート１１と２列目シート１２との間に設けられたが、２列目シート１２と３列目シート１３との間に設けられてもよい。なお、例えばバスなど、さらに多くのシートが列状に並ぶ車両にも後席用ディスプレイ装置を適用することができる。そのような車両に適用される場合、後席用ディスプレイ及び後席用透明ディスプレイは、運転席がある１列目シートの後方且つ最後列のシートの前方に設けられていればよい。
【符号の説明】
【００６５】
Ｐ０…格納位置、Ｐ１…第１展開位置、Ｐ２…第２展開位置、Ｐ３…第３展開位置、Ｓ１…視界確保領域、Ｓ２…視界確保領域、ＤＡ…表示可能領域、ＴＡ…透明領域、ＶＡ…画像表示領域、ＡＣＣ…アクセサリースイッチ、１０…車両、１１…１列目シート（前席）、１２…２列目シート（後席）、１３…３列目シート（後席）、１４…後方カメラ、１５…支持部材、１６…天井、２０…インサイドミラー、２１…ケース、２１ａ…開口部、２２…マジックミラー（光学部材）、２３…後方視界用ディスプレイ、２４…操作レバー、４０…後席用ディスプレイ装置、４１…変位機構、４１ａ…モータ、４２…後席用ディスプレイ、４３…制御装置、４６…レバー検出部、４７…姿勢検出部、４８…位置検出部、４８ａ…位置検出用カメラ、５０…後席用透明ディスプレイ（後席用ディスプレイ）。
【図１】
2019098841.tif 000003
【図２】
2019098841.tif 000004
【図３】
2019098841.tif 000005
【図４】
2019098841.tif 000006
【図５】
2019098841.tif 000007
【図６】
2019098841.tif 000008
【図７】
2019098841.tif 000009